(57)【特許請求の範囲】
【請求項１】
血液バッグへ放射線を照射する放射線源（１）と、
前記血液バッグを複数収容し得る容器を有し、前記容器を回転、上下、反転の各動作を行い得る機構部を有したターンテーブル（２）と、
前記放射線源（１）から前記血液バッグへ照射する放射線の照射と前記ターンテーブル（２）の各動作を制御する制御器（９）と、を備えた血液バッグ用放射線照射装置であって、
前記ターンテーブル（２）の放射線照射面に設けられ、前記血液バッグ１個（３）を収納とする容積を備えたバッグホルダ（１３）と、
前記バッグホルダ（１３）に固定される磁石片（１５ａ）と、
前記血液バッグ１個（３）の収納を前記磁石片（１５ａ）により検出することで、前記血液バッグ１個（３）での緊急照射であることを検知する磁気センサー（１５ｂ）と、を備え、
前記制御器（９）は、前記磁気センサー（１５ｂ）によって検知された緊急照射に基づき前記放射線源（１）からの放射線の照射と、前記血液バッグ１個（３）と前記放射線源（１）との距離を短くするように前記ターンテーブル（２）の上下動作を制御することを特徴とする血液バッグ用放射線照射装置。
【発明の詳細な説明】
【０００１】
【発明が属する技術分野】
本発明は、1個の血液バッグの緊急放射線照射が効率良くできる血液バック用放射線照射装置に関する。
【０００２】
【従来の技術】
近年、輸血によるＧＶＨＤ（Graft  Versus  Host  Disease：移植片対宿主病）の発症が問題となっている。この予防には、輸血前の血液〔血液成分（赤血球，血小板等）毎に分離し、血液保存袋に封入した血液製剤を含む。〕に適宜線量のＸ線，γ線，電子線などの放射線、例えば15〜50グレイ（1500〜5000ラド）のＸ線を照射して血液内のリンパ球等を不活性化させるのが有効であるとされ、現在普及している。
【０００３】
ところで、このような血液への放射線照射は、通常、血液をその保存用袋（これを輸血用保存袋という。血液製剤保存袋を含む。）に入れた状態で血液バック用放射線照射装置を用いて放射線照射が行なわれている。照射される放射線としては、一般的にＸ線が用いられている。
【０００４】
従来この種のＸ線照射装置は、装置匡体内の上部にＸ線管装置を配備すると共に、Ｘ線照射野の中央部に血液バックを置くテーブルを配置し、ここにＸ線を照射する構成と成っている。この場合、Ｘ線管装置から照射されるＸ線量の分布は、照射野内で均一でないことは知られている。これを改善するために上記テーブルとして平面上で回転するターンテーブルを用い、この上に多数の血液バックを載せ、Ｘ線を照射するように構成されていた。
【０００５】
しかし、ターンテーブルを用いただけでは、平面方向では均一化されるものの、血液バッグの厚み方向の線量分布の均一性がとれないという問題があった。この解決策として特開平10−274699号に記載の血液バッグ用放射線照射装置が提示されている。この発明は平面上で回転するターンテーブルをターンテーブル毎表面より裏面に反転させ、血液バックの表面方向と裏面方向よりＸ線を照射し、血液バッグの厚み方向の線量分布を均一にする機能を備えていた。.
【０００６】
【発明が解決しようとする課題】
上記特開平10−274699号の血液バッグ用放射線照射装置は、急患に対処するための血液バッグ1個のみを短時間で緊急照射する機能は備えていなかった。血液バッグ1個のみを短時間緊急照射するには、Ｘ線を強く照射する必要がある。Ｘ線を強く照射する方法としては、Ｘ線照射条件を上げるか、またはＸ線源と血液バッグとの間の距離を短縮する2通りがある。これらのうち、Ｘ線照射条件、すなわちＸ線管電圧またはＸ線管電流を上げるとＸ線管の寿命が短くなるので好ましいとは言えない、従って、Ｘ線源と血液バッグ間の距離を短縮する方法を採用するのが好ましいが、上記従来装置のようにターンテーブルへ多数の血液バッグを収納するもので1個の血液バッグを短時間でＸ線照射する場合、ターンテーブルを反転するときに血液バッグの位置ずれを生ずる可能性がある、血液バッグをＸ線源に近付けるとＸ線照射野が小さくなるので、血液バッグの位置ずれは、Ｘ線照射の不均一を招き、血液バッグ内の一部の血液にはＸ線が照射されないことも場合によっては生じてしまうこととなる。
【０００７】
本発明の目的は、緊急時に1個の血液バッグを短時間でＸ線照射できる血液バッグ用Ｘ線照射装置を提供することにある。
【０００８】
【課題を解決するための手段】
上記課題を解決するために本発明の血液バッグ用放射線照射装置においては、血液バッグへ放射線を照射する放射線源(1)と、前記血液バッグを複数収容し得る容器を有し、前記容器を回転、上下、反転の各動作を行い得る機構部を有したターンテーブル(2)と、前記放射線源(1)から前記血液バッグへ照射する放射線の照射と前記ターンテーブル(2)の各動作を制御する制御器(9)と、を備えた血液バッグ用放射線照射装置であって、前記ターンテーブル(2)の放射線照射面に設けられ、前記血液バッグ1個(3)を収納とする容積を備えたバッグホルダ(13)と、前記バッグホルダ(13)に固定される磁石片(15a)と、前記血液バッグ1個(3)の収納を前記磁石片(15a)により検出することで、前記血液バッグ1個(3)での緊急照射であることを検知する磁気センサー(15b)と、を備え、前記制御器(9)は、前記磁気センサー(15b)によって検知された緊急照射に基づき前記放射線源(1)からの放射線の照射と、前記血液バッグ1個(3)と前記放射線源(1)との距離を短くするように前記ターンテーブル(2)の上下動作を制御することを特徴とする。
【０００９】
【発明の実施の形態】
以下、図面を参照して本発明の実施の形態を説明する。図1は、本発明による血液バック用放射線照射装置のブロック図を示す。図1において、1はＸ線管装置で、下方向に広がる破線はＸ線の照射範囲を示す。2はターンテーブルで、通常は二点鎖線の位置まで下降している。3は緊急照射用の1個の血液バッグ、4はＸ線管装置1に高電圧を与える高電圧発生装置、5は血液バッグ3を透過したＸ線量を検知するプローブ、6はこのプローブ5から信号を受けてＸ線量の計測を行なう線量計、7は血液バッグ用放射線照射装置全体を覆う防護ボックス、8は前記Ｘ線管装置1を冷却する冷却器、9は血液バッグ用放射線照射装置の制御器で、ターンテーブル2の回転停止、上昇下降、上下面の反転の各動作及びＸ線照射条件を制御する機能を備えている、10は制御器9の血液バッグ3への放射線の照射仕様を格納してあるデータ部、13は血液バッグ1個を専用に収納する容積を備えたバッグホルダを示す。
【００１０】
上記構成でなる血液バッグ用放射線照射装置の全体の動作について説明する。図1において、複数個の血液バッグ3のＸ線照射にはバッグホルダ13は用いずターンテーブル2に複数個の血液バッグ3を搭載し後記する上蓋により、血液バッグ3の上面を押し付け、Ｘ線源1より血液バッグ3に向かいＸ線を照射する。その透過線量をプローブ5にて検知し、線量計6により計測表示する。このとき照射するＸ線量はターンテーブル2に収納された血液バッグの数によって選択可能とされ、また、ターンテーブル2の回転時間と開始から反転までの時間また反転から終了までの時間も照射量に応じて制御される。
【００１１】
図2は本発明による血液バック用放射線照射装置のターンテーブル部の外観の平面図を示し、図2において、11はターンテーブル2の上面に蓋をしてターンテーブル2を上下反転したときに血液バッグ3の落下を防止する上蓋、12はターンテーブル2の下面に蓋をして血液バッグ3の下面を支える下蓋、14はバッグホルダ13にターンテーブル2に固定するガイドピン、15ａはバッグホルダ13に固定された磁石片、15ｂは磁石片15ａを検出することにより、血液バッグ1個の緊急照射を行うことを制御器9に指示する機能を持つ検出器である磁気センサである。
【００１２】
上記構成でなる血液バッグ用放射線照射装置の緊急照射の動作について説明する。予め、バッグホルダ13をターンテーブル2上面に磁石片15ａと磁気センサ15ｂの位置を合わせてガイドピン14で固定し、血液バッグ3をその中に入れ別途設けられたスイッチ（図示せず）を作動させると、Ｘ制御器9は予め用意されているプログラムで磁気センサー15ｂが磁石片15ａを検出することにより、血液バッグは1個で緊急照射であることを検知し、自動的にターンテーブル2を上昇させ回転させ所定の時間Ｘ線を照射させる。そして所定時間経過するとターンテーブル2を反転させ裏面より所定の量Ｘ線を照射させてＸ線照射を終了させる。ターンテーブ2を上昇させるのは血液バッグに照射されるＸ線強度を強くし短時間で照射を終了させるためである。
【００１３】
次に、図3によりは本発明による血液バッグ用放射線照射装置の平面図を示しターンテーブルの  駆動機構について説明する。図3において、16は回転力を伝達させるベルト、17はターンテーブル2を回転可能に支持しているターンテーイブル取り付け基板、19はターンテーブル2の外周を回転可能に外周方向を係止しいるコロ、20はターンテーブル回転駆動用のモートル、21はモートル20の回転軸に直結したプーリー、23はターンテーブル取り付け基板17を上下させる上下駆動用モートル、24は上下駆動用モートル23の回転力を第一のスプロケットに伝達する第一のチェーン、25は第一のチェーン24の回転力をスクリュー26に伝達する第一のスプロケット、26は第一のスプロケット25の回転力を上下方向の駆動力に変換するスクリュー、27はスクリュー26の上下を回転可能に支える支柱、28は上下駆動部を上下方向にガイドするレール、29はターンテーブル取付け基板17に固定されスクリュー26の回転により上下に移動する上下駆動部を示す。
【００１４】
30はターンテーブル2を反転させる動力源となる反転駆動用モートル、31は反転駆動用モートル30の軸に直結した第二のスプロケット、33は第二のスプロケット31の回転力を第三のスプロケット32に伝えるための第二のチェーンを示す。
【００１５】
上記構成でなるターンテーブル2の回転動作、上昇下降動作、反転動作について説明する。図3において、ターンテーブル2は、モートル20を回転させると、モートル20の回転力がその回転軸に直結したプリー21に伝えられるとともに、プリー21からベルト16を介してターンテーブル2に伝えられターンテーブル2は回転させられる。ターンテーブル2の上昇、下降動作は、上下駆動用モートル23を回転させると、モートル23の回転軸に取付けられたスプロケット（図示省略）を介して回転力が第一のチェーン24、第一のスプロケット25へ伝達され、スクリュー26を回転させることによりネジ係合している上下駆動部29をターンテーブル取付け基板17と一緒に上昇させる。所定の高さまで上昇すると上下駆動用モートルのスイッチ（図示せず）はＯＦＦとなり回転を停止し定位置で停止する。（逆方向に上下駆動用モートル23を回転させることにより下降させる。）
【００１６】
次に、ターンテーブル2の反転動作について説明する。
ターンテーブル取り付け基板17を上昇させて停止した状態で、反転駆動用モートル30を図中矢印ハ方向に回転させると、第二のスプロケット31も図中矢印ハ方向に回転する。すると第二のチェーンを介して第三のスプロケット32へ回転力が伝達され、第三のスプロケット32に直結した回転軸35を中心とするＸ−Ｘ軸廻りにターンテーブル取り付け基板17が回転させられる。そして、ターンテーブル2がＸ−Ｘ軸廻りに1／2回転、すなわち反転したところでモートルを停止させる。元の位置に戻すにはこの逆の手順を行なえばよい。なお、以上の動作説明で、モートル20，23，30の起動停止の制御については説明を省略したが、これらの制御は適宜な位置へリミットスイッチ等を配置し、その検出信号でのモートルの駆動回路を制御することで達成できる。
【００１７】
【発明の効果】
本発明によれば、複数の血液バッグにＸ線を照射する仕様の装置に、血液バッグ1個を収納とする容積を備えたバッグホルダと磁気センサーを設け、1個の緊急照射の照遮仕様を制御する手段を制御器に追加することにより、1個の血液バッグ専用の緊急放射線照射装置に機能を拡張できる効果がある。
【図面の簡単な説明】
【図１】本発明による血液バック用放射線照射装置のブロック図。
【図２】本発明による血液バック用放射線照射装置のターンテーブル部の外観の平面図。
【図３】本発明による血液バック用放射線照射装置のターンテーブル駆動機構の平面図。
【符号の説明】
１  Ｘ線源
２  ターンテーブル
３  血液バッグ
９  制御器
１０  データ部
１３  バッグホルダ
１５ａ  磁石片
１５ｂ  磁気センサ
１７  ターンテーブル取り付け基板
２０  モートル
２３  上下駆動用モートル
３０  反転駆動用モートル
【図１】
0004305997.tif 000002
【図２】
0004305997.tif 000003
【図３】
0004305997.tif 000004